(57)【要約】【課題】簡単な操作でロシアンルーレットのようなゲームを行うことができるゲーム装置を提供する。【解決手段】ゲーム装置１０は、操作部１２と、圧縮空気を封入可能に設けられるタンク１３と、タンク１３と接続されて吐出部１６ａを備える吐出管１６と、複数の選択係合部を備える抽選機構２０と、複数の選択係合部のうち一の選択係合部と係合する選択被係合部を備えて、一の選択係合部と選択被係合部との係合状態に応じて操作部１２の操作により吐出管１６と接続される弁部３５が開閉される弁開閉機構３０と、を有し、抽選機構２０は、抽選選択部である回転駒２１と、揺動部２２と、を有する。【選択図】    図２
2020168225.tif 000002
【特許請求の範囲】
【請求項１】
操作部と、
圧縮空気を封入可能に設けられるタンクと、
前記タンクと接続されて吐出部を備える吐出管と、
複数の選択係合部を備える抽選機構と、
前記複数の選択係合部のうち一の前記選択係合部と係合する選択被係合部を備えて、前記一の選択係合部と前記選択被係合部との係合状態に応じて前記操作部の操作により前記吐出管と接続される弁部が開閉される弁開閉機構と、
を有し、
前記抽選機構は、
軸心周りの多角形外周面に前記複数の選択係合部が形成されて、一方側の側面の前記軸心周りには第１ラチェット歯部が形成され、他方側の側面の前記軸心周りには第２ラチェット歯部が形成される抽選選択部と、
前記第１ラチェット歯部と係合可能な第１ラチェット爪部を備える回転規制部材と、
前記抽選選択部の他方側の側面側に配置されて、前記軸心から所定距離離れた偏心錘部を備え、前記第２ラチェット歯部と係合する第２ラチェット爪部を備える揺動部と、
を有することを特徴とするゲーム装置。
【請求項２】
前記複数の選択係合部は、それぞれ深さが異なる孔であり、
前記選択被係合部は、前記選択係合部の前記孔に挿入可能な棒状に形成されることを特徴とする請求項１に記載のゲーム装置。
【請求項３】
前記揺動部は、
前記軸心周りに筒状ケースを備えて、前記筒状ケースの外周面から延設されるアームの端部に前記偏心錘部が形成される揺動錘部材と、
一方側の側面に前記第２ラチェット爪部を備え、他方側には前記第２ラチェット歯部に向けて付勢する弾性部材を備えて前記筒状ケースに対して前記軸心周りの回転を相対的に固定して前記筒状ケースに収納される揺動伝達部材と、
を有することを特徴とする請求項１又は請求項２に記載のゲーム装置。
【請求項４】
前記吐出管は可撓性部材により形成され、
前記弁開閉機構は、
前記抽選機構に対して直線的に移動可能に設けられ、前記操作部と当接する操作当接部と、前記選択被係合部と、移動方向に対して傾斜する傾斜面を備える第１傾斜部とを備える係合操作部材と、
前記吐出管に対して前記係合操作部材の移動方向と直交する方向に直線的に移動可能に設けられ、前記吐出管を押圧する押圧部と、前記第１傾斜部と摺動する傾斜面を備える第２傾斜部と、を備える弁部材と、
前記弁部材を前記吐出管に向けて付勢する付勢部材と、
を有することを特徴とする請求項１乃至請求項３の何れか記載のゲーム装置。
【請求項５】
前記タンク、前記吐出管、前記抽選機構、前記弁開閉機構を収納する、缶飲料を模したケース本体と、
前記操作部は、前記ケース本体の上面にプルタブを模して形成され、
前記ケース本体の下部は前記タンクに圧縮空気を送り込むポンプ操作部であることを特徴とする請求項１乃至請求項４の何れか記載のゲーム装置。
【発明の詳細な説明】
【技術分野】
【０００１】
本発明は、ロシアンルーレットのようなゲームを行うことができるゲーム装置に関する。
【背景技術】
【０００２】
従来から、ロシアンルーレットのようなゲームを行うことができるゲーム装置が提供されている。例えば、特許文献１には、回転式弾倉を備えた水鉄砲が開示される。回転式弾倉の複数の弾室の一には、後方に付勢される弾丸が設けられ、撃鉄の衝撃により該弾丸が前方に突出することで、水タンクから供給されたシリンダ内の水が吐出される。他の弾室は空なので、水が吐出されることはない。
【先行技術文献】
【特許文献】
【０００３】
【特許文献１】特開昭６３−２７３７９３号公報
【発明の概要】
【発明が解決しようとする課題】
【０００４】
回転式弾倉を回転させて所定の位置で止めて、引き金を引く動作はやや複雑である場合があり、また、日常行う動作でもないので操作に手間取り、ゲームの進行に手間取って楽しさが損なわれることがあった。
【０００５】
本発明の目的は、簡単な操作でロシアンルーレットのようなゲームを行うことができるゲーム装置を提供する。
【課題を解決するための手段】
【０００６】
本発明に係るゲーム装置は、操作部と、圧縮空気を封入可能に設けられるタンクと、前記タンクと接続されて吐出部を備える吐出管と、複数の選択係合部を備える抽選機構と、前記複数の選択係合部のうち一の前記選択係合部と係合する選択被係合部を備えて、前記一の選択係合部と前記選択被係合部との係合状態に応じて前記操作部の操作により前記吐出管と接続される弁部が開閉される弁開閉機構と、を有し、前記抽選機構は、軸心周りの多角形外周面に前記複数の選択係合部が形成されて、一方側の側面の前記軸心周りには第１ラチェット歯部が形成され、他方側の側面の前記軸心周りには第２ラチェット歯部が形成される抽選選択部と、前記第１ラチェット歯部と係合可能な第１ラチェット爪部を備える回転規制部材と、前記抽選選択部の他方側の側面側に配置されて、前記軸心から所定距離離れた偏心錘部を備え、前記第２ラチェット歯部と係合する第２ラチェット爪部を備える揺動部と、を有することを特徴とする。
【発明の効果】
【０００７】
本発明によれば、簡単な操作でロシアンルーレットのようなゲームを行うことができるゲーム装置を提供することができる。
【図面の簡単な説明】
【０００８】
【図１】本発明の実施形態に係るゲーム装置の斜視図であり、（ａ）は下ケースを閉じた状態を示し、（ｂ）は下ケースを引いた状態を示す。
【図２】本発明の実施形態に係るゲーム装置の図１（ｂ）の奥側半分のケース本体を省略し、一部断面としたケース本体内部の構造図である。
【図３】本発明の実施形態に係るゲーム装置の図１（ｂ）の手前側半分のケース本体を省略し、一部断面としたケース本体内部の構造図である。
【図４】本発明の実施形態に係るゲーム装置の抽選選択部及び揺動部を示し、揺動部を分解斜視とした揺動錘部材側から見た斜視図である。
【図５】本発明の実施形態に係るゲーム装置の抽選選択部及び揺動部を示し、揺動部を分解斜視とした回転駒側から見た分解斜視図である。
【図６】本発明の実施形態に係るゲーム装置の係合操作部材と弁部材を示す斜視図である。
【図７】本発明の実施形態に係るゲーム装置の要部を示す、図２に相当する構造図であり、（ａ）は選択被係合部が浅底凹孔に係合した状態を示し、（ｂ）は選択被係合部が深底凹孔に係合した状態を示す。
【発明を実施するための形態】
【０００９】
次に、図に基づいて、本発明の実施形態を説明する。図１に示すゲーム装置１０は、５００ｍｌサイズの飲料缶を模した形態で略円筒状に形成されるケース本体１１を備える。ゲーム装置１０は、ゲーム装置１０を振って、飲料缶を開ける要領で操作部１２を引き起こすと、吐出口１６ａから霧状の水が噴出したりしなかったりして、ロシアンルーレットのようなゲームを行うことができる玩具である。
【００１０】
ケース本体１１の上面には、プルタブを模した略板状の操作部１２が設けられる。操作部１２は、両側面から突出する軸状突起が軸支持孔により回動自在に支持される回動支点１２ａを備える。操作部１２の一方側である後方側には指掛け用の孔１２ｂが形成される。操作部１２の他方側である前方側には、吐出口１６ａが設けられる。
【００１１】
ケース本体１１は、上部３／４程度を占める上ケース１１ａと、下部の下ケース１１ｂとを備える。下ケース１１ｂは、上ケース１１ａに対して直線的に移動可能に形成される。下ケース１１ｂは、水を溜めるための後述するタンク１３内に圧縮空気を送り込むポンプ操作部とされる。なお、図１（ａ）は上ケース１１ａと下ケース１１ｂとを当接させている状態を示し、図１（ｂ）は上ケース１１ａと下ケース１１ｂとを離間させている状態を示す。上ケース１１ａは、吐出口１６ａを通る径方向に沿って２分割されるように、部材が組み合わせられて形成される。
【００１２】
次に図２〜図６に基づいて、ゲーム装置１０の内部構造を説明する。ゲーム装置１０のケース本体１１における上ケース１１ａの下方には、水を溜めるためのタンク１３が設けられる。タンク１３の下方には、円筒状にスカート部１１ａ１が形成される。タンク１３は、下面から下方に延びる円筒状の供給筒１３ａが設けられる。供給筒１３ａの先端はキャップ１３ａ１が供給筒１３ａにねじ込まれている。タンク１３への水の供給は、上ケース１１ａと下ケース１１ｂが当接した状態で、下ケース１１ｂの底面を上に向けて、キャップ１３ａ１を回して供給筒１３ａから取り外すことで行うことができる。なお、下ケース１１ｂの底面には、供給筒１３ａに対応する孔１１ｂ１が形成される。一方、下ケース１１ｂは、有底円筒状に形成されて、その内径はスカート部１１ａ１の外径よりも大きく形成される。
【００１３】
また、タンク１３への水の供給口は、上記実施形態に限られず、例えば、上ケース１１ａの側面に供給口を設けて、上ケース１１ａの側面から直接タンク１３に水を供給できるように構成してもよい。
【００１４】
ケース本体１１には、圧縮空気をタンク１３に送り込むポンプ装置１４がタンク１３と接続されて設けられる。ポンプ装置１４は、従来の水鉄砲等に用いられる公知の構造である。簡単に説明すると、ポンプ装置１４のシリンダ１４ａは、タンク１３を上下に貫通するように配置される。先端にピストンを備えるポンプ装置１４のピストンロッド１４ｂは、下方に延びて下ケース１１ｂの底板内面に接続される。従って、下ケース１１ｂは、ポンプ操作部とされる。ポンプ装置１４には、タンク１３と接続される流路上に弁構造が形成される。
【００１５】
タンク１３に圧縮空気を送り込むには、下ケース１１ｂを上下に移動させてポンピングする。下ケース１１ｂを押し込むと、シリンダ１４ａ内の空気が圧縮され、ポンプ装置１４の弁構造を開いてタンク１３内に圧縮空気が流入する。下ケース１１ｂを引くと、ポンプ装置１４の弁構造が閉じて、シリンダ１４ａの開口部からピストンを介してシリンダ１４ａの内部に空気が流入する。このようにして、ポンプ操作部とされる下ケース１１ｂを複数回ポンピングすることにより、十分にタンク１３に圧縮空気を送り込むことができる。
【００１６】
上ケース１１ａには、タンク１３に接続されて吐出口１６ａを備える吐出管１６が設けられる。吐出管１６は、可撓性を有する材料（例えばゴム管）により形成される管である。吐出口１６ａは、細かい網状部が形成されて、吐出される水を霧状に噴出する。
【００１７】
タンク１３の上方の上ケース１１ａ内には、抽選機構２０が設けられる。抽選機構２０には、図４、図５にも示すように、側面視略８角形の厚板状に形成される抽選選択部とされる回転駒２１が設けられる。回転駒２１は、ケース本体１１（上ケース１１ａ）の内面から突出する支持軸（不図示）により、軸心Ｌ周りに回転自在に支持される。回転駒２１における軸心Ｌ周りの多角形外周面には、選択係合部とされる８個の凹孔２１ａが形成される。８個の凹孔２１ａは、７個の浅底凹孔２１ａ１と、１個の深底凹孔２１ａ２とで構成される（図７参照）。
【００１８】
回転駒２１の一方側の側面には、図５に示すように、回転駒２１の一方側の側面から突出するように、軸心Ｌ周りに第１ラチェット歯部２１ｂが形成される。第１ラチェット歯部２１ｂは、８つのラチェット歯を備える。回転駒２１の他方側の側面には、図４に示すように、回転駒２１の他方側の側面から円盤状に突出する面に凹状となるように、軸心Ｌ周りに第２ラチェット歯部２１ｃが形成される。第２ラチェット歯部２１ｃは、８個の凹状ラチェット歯を備える。なお、回転駒２１の他方側の側面における円盤状に突出する部位の直径は、後述する揺動錘部材２２ａの筒状ケース２２ａ１の直径と同じである。
【００１９】
回転駒２１の複数の凹孔２１ａの一は、常に後述の係合操作部材３１の選択被係合部３１ｄと対向する位置に配置されるように第１ラチェット歯部２１ｂは設定される。
【００２０】
また、回転駒２１の他方側の側面側には、揺動部２２が形成される。揺動部２２は、揺動錘部材２２ａを備える。揺動錘部材２２ａは、軸心Ｌ周りに、開口部を回転駒２１側とする有底筒状の筒状ケース２２ａ１を備える。筒状ケース２２ａ１の外周面からは、径方向に向けてアーム２２ａ２が延設される。アーム２２ａ２の端部には、軸心Ｌから所定距離離れた偏心錘部とされる円筒状の錘部２２ａ３が形成される。アーム２２ａ２は２本の支持梁が錘部２２ａ３に接続して形成される。
【００２１】
揺動錘部材２２ａの筒状ケース２２ａ１には、弾性部材であるコイルばねとされる付勢部材２２ｃを挟み込むようにして、一方側から揺動伝達部材２２ｂが挿入され、収納される。揺動伝達部材２２ｂは、略有底筒状に形成されて、その外周面には径方向に対向して突出する２つのキー状の規制突起２２ｂ１が形成される。この規制突起２２ｂ１が、筒状ケース２２ａ１内周面にキー溝状に形成される対向する２つの規制溝２２ａ１１に挿入される。このようにして、揺動伝達部材２２ｂは、筒状ケース２２ａ１に対して軸心Ｌ周りの回転を相対的に固定され、軸心Ｌ方向には移動自在に筒状ケース２２ａ１に収納される。そして、付勢部材２２ｃにより、揺動伝達部材２２ｂは、回転駒２１に向けて付勢され、押し付けられている。また、揺動伝達部材２２ｂの一方側の側面には、第２ラチェット爪部２２ｂ２が形成される。第２ラチェット爪部２２ｂ２は、軸心Ｌ周りに８個形成される。第２ラチェット爪部２２ｂ２は、第２ラチェット歯部２１ｃと係合する。
【００２２】
なお、図４、図５は、揺動部２２を分解して示している。揺動部２２は、揺動錘部材２２ａの筒状ケース２２ａ１に揺動伝達部材２２ｂ及び付勢部材２２ｃを収納して、筒状ケース２２ａ１が回転駒２１の他方側側面の円盤状の突起に接着して固定される。
【００２３】
図２，３に示すように、揺動部２２の一方側の側方には、回転規制部２３が設けられる。回転規制部２３は、上ケース１１ａの内面に形成されるガイド部（ガイド部を構成するガイドカバー２３ａが図示される）により直線移動可能に支持される係止駒２３ｂが設けられる。係止駒２３ｂは、弾性部材であるコイルばねとされる付勢部材２３ｃにより第１ラチェット歯部２１ｂに向けて付勢される。係止駒２３ｂは、先端に第１ラチェット爪部２３ｂ１が形成される。第１ラチェット爪部２３ｂ１は、第１ラチェット歯部２１ｂと係合可能に形成される。
【００２４】
ここで、図３、図５で見て軸心Ｌ周りの時計回りを第１回転方向Ｒ１、反時計回りを第２回転方向Ｒ２とする。抽選選択部である回転駒２１の第１ラチェット歯部２１ｂと、回転規制部２３の第１ラチェット爪部２３ｂ１とのラチェット係合は、回転駒２１の第１回転方向Ｒ１方向の回転を許容し、回転駒２１の第２回転方向Ｒ２方向の回転を規制する。一方、図４に示されるように、回転駒２１の第２ラチェット歯部２１ｃと、揺動部２２の第２ラチェット爪部２２ｂ２とのラチェット係合は、回転駒２１に対する揺動部２２（揺動伝達部材２２ｂ）の第１回転方向Ｒ１方向の回転を規制し、回転駒２１に対する揺動部２２（揺動伝達部材２２ｂ）の第２回転方向Ｒ２方向の回転を許容する。換言すれば、錘部２２ａ３が上昇するとき（揺動錘部材２２ａが第２回転方向Ｒ２方向に回転するとき）、回転駒２１は回転せず、錘部２２ａ３が下降して戻るとき（揺動錘部材２２ａが第１回転方向Ｒ１方向に回転するとき）、回転駒２１は揺動錘部材２２ａと共に回転する。
【００２５】
従って、ゲーム装置１０を振る動作において、ゲーム装置１０を下から上に移動させた場合（すなわち、錘部２２ａ３が上昇するとき）には、第１ラチェット歯部２１ｂと第１ラチェット爪部２３ｂ１とのラチェット係合により回転駒２１の回転は規制されるが、揺動錘部材２２ａは、回転駒２１に対して第２回転方向Ｒ２方向に回動し、図２で示すように、揺動部２２の錘部２２ａ３が下側の実線位置から上側の二点鎖線の位置まで上昇する。
【００２６】
一方、ゲーム装置１０を振る動作において、ゲーム装置１０を上から下に移動させた場合（すなわち、錘部２２ａ３が下降して戻るとき、又は錘部２２ａ３は自重で戻るとき）には、揺動錘部材２２ａは回転駒２１と共に第１回転方向Ｒ１方向に回転する。揺動錘部材２２ａの第１回転方向Ｒ１方向の回転は、錘部２２ａ３が下板１１ａ３に当接することで規制される。
【００２７】
このようにして、ゲーム装置１０を一回振る毎に、回転駒２１は回転する。そして、回転駒２１の凹孔２１ａは８個形成されて、これと対応して第１ラチェット歯部２１ｂ及び第２ラチェット歯部２１ｃの歯は８個形成されているので、ゲーム装置１０を一回振る毎に、回転駒２１は凹孔２１ａの一つ分だけ（本実施形態においては４５度ずつ）回転する。
【００２８】
一方、図２、図３に示すように、上ケース１１ａ内における、抽選機構２０の上方には、弁開閉機構３０が設けられる。弁開閉機構３０は、係合操作部材３１と、弁部材３２と、付勢部材３３とを備える。係合操作部材３１は、上ケース１１ａの内面に形成されるガイド部により、図２、図３における上下方向に抽選機構２０に対して直線的に移動可能に設けられる。弁部材３２は、吐出管１６に対して、係合操作部材３１の移動方向（上下方向）と直交する方向（図２、図３における左右方向）に直線的に移動可能に設けられる。付勢部材３３は、弁部材３２を吐出管１６に向けて付勢する弾性部材であるコイルばねである。
【００２９】
図６に示すように、係合操作部材３１は、上端に操作当接部３１ａが形成される。操作当接部３１ａは、先端部が球状に形成される。上下に長い直方体状に形成される本体部３１ｂの上部の両側面からは、第１傾斜部３１ｃが突出する。第１傾斜部３１ｃの下側は、傾斜面３１ｃ１が形成される。本体部３１ｂの下面からは、円柱状の選択被係合部３１ｄが下方に向けて立設する。選択被係合部３１ｄの直径は、回転駒２１の凹孔２１ａの孔径よりも小さく形成される。すなわち、選択被係合部３１ｄは、回転駒２１における複数の選択係合部とされる凹孔２１ａのうち一の選択係合部と係合するように形成される。
【００３０】
弁部材３２の本体部３２ａには、対向する長板３２ａ１に亘って、長板３２ａ１の先端及びその後方に、それぞれ梁状板３２ａ２，３２ａ３が設けられる。先端に設けられる梁状板３２ａ２の外面側には、側面視略三角形状の押圧部３２ｂが形成される。なお、弁部材３２について、押圧部３２ｂが設けられる側を前、その反対側を後ろとして以下説明する。
【００３１】
梁状板３２ａ３の前側面であって、長板３２ａ１同士の対向面には、それぞれ第２傾斜部３２ｃが形成される。第２傾斜部３２ｃには、係合操作部材３１の第１傾斜部３１ｃの傾斜面３１ｃ１と摺動する傾斜面３２ｃ１が形成される。換言すれば、第１傾斜部３１ｃの傾斜面３１ｃ１と第２傾斜部３２ｃの傾斜面３２ｃ１は、同じ傾斜角度の傾斜面とされる。一方、梁状板３２ａ３の後側面には、付勢部材３３を支持する円柱状の突起３２ｄが形成される。
【００３２】
図２、図３に戻り、弁開閉機構３０における弁部材３２の押圧部３２ｂが対向する上ケース１１ａの内面には、上下に並ぶ２つの押圧受突起３４が形成される。押圧受突起３４は、側面視略三角形状の突起で形成され、押圧受突起３４間に吐出管１６を挟んで押圧部３２ｂが入り込むように配置される。ここで、弁部材３２は、上ケース１１ａの内面に形成されるガイド部により、吐出管１６に対して係合操作部材３１の移動方向と直交する方向に直線的に移動可能に設けられる。弁部材３２は、付勢部材３３により押圧受突起３４に向けて付勢されているので、図２、図３の定常状態においては、吐出管１６を押圧部３２ｂと押圧受突起３４とで挟み込むことで、吐出管１６を封止する。押圧部３２ｂと押圧受突起３４とにより、吐出管１６と接続される弁部３５が形成される。
【００３３】
ゲーム装置１０の遊び方は、先ず、供給筒１３ａからタンク１３に水を入れる。タンク１３に水を入れたら、ポンプ操作部である下ケース１１ｂにより複数回ポンピングして、タンク１３の内圧を上げる。そして、例えば複数人の使用者は、順番に、プルタブを引き起こす要領で、孔１２ｂに指を掛けて操作部１２を回動させる。すると、孔１２ｂと反対側の操作部１２の先端下面と、係合操作部材３１の操作当接部３１ａが当接する。
【００３４】
係合操作部材３１は、操作部１２により下方に押されることで下方に移動する。ここで、係合操作部材３１が下方に移動する場合には、係合操作部材３１は、移動方向に対して傾斜する第１傾斜部３１ｃの傾斜面３１ｃ１が第２傾斜部３２ｃの傾斜面３２ｃ１を摺接することにより、弁部材３２を付勢部材３３の付勢力に抗して後退させる。
【００３５】
そして、係合操作部材３１が下方に移動すると、係合操作部材３１の選択被係合部３１ｄが、回転駒２１の凹孔２１ａに挿入される。ここで、図７（ａ）のように、選択被係合部３１ｄが、深さが浅い浅底凹孔２１ａ１に挿入された場合には、係合操作部材３１は下方に移動するが、即座に選択被係合部３１ｄの先端が凹孔２１ａの底部に当接するので、係合操作部材３１の下方への移動距離が小さい。従って、弁部材３２の後退量も少ない。ゆえに、押圧部３２ｂと押圧受突起３４とによる吐出管１６の封止状態は変化せず、吐出口１６ａから水が吐出されることはない。
【００３６】
操作部１２を操作した使用者は、ゲーム装置１０を一回振ってから次の使用者に渡す。ゲーム装置１０を一回振ることにより、回転駒２１が回動して、第２回転方向Ｒ２側の隣の凹孔２１ａが操作当接部３１ａと対向する位置（上位置）に配置される。図７（ｂ）に示すように、深い深底凹孔２１ａ２が上位置に位置すると、選択被係合部３１ｄの先端が凹孔２１ａの底部に到達するまでの距離が長いので、操作部１２の操作により、十分に係合操作部材３１が下方に移動する。すると、弁部材３２も十分に後退し、押圧部３２ｂと押圧受突起３４とによる吐出管１６の封止状態が解除される。吐出管１６の封止状態が解除されると、加圧されたタンク１３の水が吐出管１６を通って吐出口１６ａから霧状に水が吐出されて、操作部１２を操作した使用者の顔に掛かる。このようにして、一の選択係合部である凹孔２１ａと選択被係合部３１ｄの係合状態に応じて、操作部１２の操作により、弁部３５は開閉される。
【００３７】
また、別の遊び方としては、例えば、次の使用者にゲーム装置１０を渡す場合に複数回振れば、常に１／８の確率で水が顔に掛かることになるので、よりスリリングなゲームを行うことができる。
【００３８】
このように、ゲーム装置１０は、振るだけの簡単な操作でロシアンルーレットのようなゲームを楽しむことができる。
【００３９】
以上、本発明の実施形態を説明したが、本発明は本実施形態によって限定されることは無く、適宜変更して実施することができる。例えば、本実施形態においては、可撓性を有する吐出管１６を用いて、この吐出管１６を挟み込むことで封止する弁開閉機構３０としたが、これに限られず、弁部３５は他の形式の弁構造としてもよい。そして、本実施形態においては、選択係合部を凹孔２１ａとし、選択被係合部３１ｄは凹孔２１ａに挿入して係合するように形成したが、これに限られず、凹凸関係を逆にしたり、突起同士としたりする等種々の形式を採用することができる。すなわち、一の選択係合部（凹孔２１ａ）と選択被係合部（３１ｄ）との係合状態に応じて操作部（１２）の操作により吐出管（１６）と接続される弁部（３５）が開閉弁されればよい。
【００４０】
また、揺動部２２は、第２ラチェット爪部２２ｂ２に樹脂成形による弾性力を付与して揺動錘部材２２ａ、揺動伝達部材２２ｂを一体的に形成したり、第２ラチェット爪部２２ｂ２を一つとしたりすることもできる。また、複数の選択係合部（回転駒２１の凹孔２１ａ）は８個以外の複数個とすることもできる。この場合、一の選択係合部と選択被係合部（３１ｄ）とが係合するように形成されていれば、第１ラチェット歯部２１ｂや第２ラチェット歯部２１ｃの個数は、選択係合部の個数と同数でなくてもよいが、選択係合部と第１ラチェット歯部２１ｂや第２ラチェット歯部２１ｃの個数を同じとすることで、ゲーム装置１０の設計や製造を容易とすることができる。  
【符号の説明】
【００４１】
１０        ゲーム装置            １１        ケース本体
１１ａ      上ケース              １１ａ１    スカート部
１１ａ２    上板                  １１ａ３    下板
１１ｂ      下ケース              １１ｂ１    孔
１２        操作部                １２ａ      回動支点
１２ｂ      孔                    １３        タンク
１３ａ      供給筒                １３ａ１    キャップ
１４        ポンプ装置            １４ａ      シリンダ
１４ｂ      ピストンロッド        １６        吐出管
１６ａ      吐出口                ２０        抽選機構
２１        回転駒                ２１ａ      凹孔
２１ａ１    浅底凹孔              ２１ａ２    深底凹孔
２１ｂ      第１ラチェット歯部
２１ｃ      第２ラチェット歯部    ２２        揺動部
２２ａ      揺動錘部材            ２２ａ１    筒状ケース
２２ａ１１  規制溝                ２２ａ２    アーム
２２ａ３    錘部                  ２２ｂ      揺動伝達部材
２２ｂ１    規制突起              ２２ｂ２    第２ラチェット爪部
２２ｃ      付勢部材              ２３        回転規制部
２３ａ      ガイドカバー          ２３ｂ      係止駒
２３ｂ１    第１ラチェット爪部    ２３ｃ      付勢部材
３０        弁開閉機構            ３１        係合操作部材
３１ａ      操作当接部            ３１ｂ      本体部
３１ｃ      第１傾斜部            ３１ｃ１    傾斜面
３１ｄ      選択被係合部          ３２        弁部材
３２ａ      本体部                ３２ａ１    長板
３２ａ２，３２ａ３    梁状板
３２ｂ      押圧部                ３２ｃ      第２傾斜部
３２ｃ１    傾斜面                ３２ｄ      突起
３３        付勢部材              ３４        押圧受突起
３５        弁部                  Ｌ          軸心
Ｒ１        第１回転方向          Ｒ２        第２回転方向
【図１】
2020168225.tif 000003
【図２】
2020168225.tif 000004
【図３】
2020168225.tif 000005
【図４】
2020168225.tif 000006
【図５】
2020168225.tif 000007
【図６】
2020168225.tif 000008
【図７】
2020168225.tif 000009